(57)【要約】      （修正有）【課題】コンクリート面に植設一体状に固着したアンカー筋の安定した強度が得られる接着系アンカー用カプセルに使用される硬化剤収納細管を提供する。【解決手段】主剤７と硬化剤３とを分離収容した接着系アンカー用カプセルに使用される硬化剤収納細管１は、その溶融密封された硬化剤収納細管１内部にシール材２を隔てて、一方の端部側に硬化剤３が収納され、他方の端部側に空所４が設けられた構成であるため、施工穴６の底部から開口部の上下にかけて均一な硬度、剛性が得られる。【選択図】図２
2006144478.tif 000002
【特許請求の範囲】
【請求項１】
カプセル内に、主剤と硬化剤とを分離収容した接着系アンカー用カプセルに使用される硬化剤収納細管であって、該硬化剤収納細管は、その溶融密封された硬化剤収納細管内部にシール材を隔てて、一方の端部側に硬化剤が収納され、他方の端部側に空所が設けられていることを特徴とする接着系アンカー用カプセルに使用される硬化剤収納細管。
【発明の詳細な説明】
【技術分野】
【０００１】
本発明は、コンクリート建築・構造物に、アンカー筋を植設一体化するために使用されるカプセル型の接着系アンカー用カプセルに使用される硬化剤収納細管に関する。
【背景技術】
【０００２】
カプセル型の接着系アンカーは、主剤と硬化剤を定量分離して収容したガラス製カプセルを、コンクリート面に穿孔した穴に入れ、その上から先端が鋭利なボルト等のアンカー筋を回転又は回転・打撃を加えながら押し込み、施工穴内のカプセルを破砕し主剤と硬化剤を混合させて硬化させ、アンカー筋をコンクリート面に植設一体状に固着するものである。
【０００３】
このような接着系アンカーに使用されるカプセルの代表的な従来例を、図３、図４に示す。
図３および図４に示すカプセル１５は、ともに上端がドーム状のガラス製円筒容器の内部に、不飽和ポリエステル系液状樹脂等からなる主剤１７と粒状の珪石等からなる骨材１０、並びにガラス製の硬化剤収納細管１１内に密封された主剤に相応した粉状の硬化剤１３が収納されている。
図３に示すカプセル１５に収納された前記ガラス製の硬化剤収納細管１１は、その内部に硬化剤１３を入れた後に、開口端部を溶融密封するが、その際、溶融時の熱により硬化剤１３が変質する等により製品価値が喪失するのを防止するため、溶融側先端部に空所１４が設けられている。
【非特許文献１】「あと施工アンカー技術講習テキスト」社団法人日本建築あと施工アンカー協会  平成１２年５月
【発明の開示】
【発明が解決しようとする課題】
【０００４】
しかし、この空所１４があると、例えば、図３で示すように、施工時に、コンクリート面に穿設された施工穴１６にカプセル１５を入れた際、カプセル１５内では、主剤１７の液面Ａよりも硬化剤収納細管１１内の硬化剤１３の上面Ｂが低位置になる。
この状態で、回転・打撃を加えながらアンカー筋１９を施工穴１６内に押し込み、カプセル１５と硬化剤収納細管１１を破砕し、施工穴１６内に充満した主剤１７と硬化剤１３とを混合すると、主剤１７と硬化剤１３は、施工穴１６内で半径方向でしか混合されずに、上下方向に混合されにくいことによって、施工穴１６の開口部付近２０では、主剤１７への硬化剤１３の供給が不足がちとなり、硬化不良や硬化遅延を引き起こす傾向も見られた。
【０００５】
施工穴１６の開口部付近２０に硬化不良ないし硬化遅延があると、アンカー筋にかかる剪断力に対する剛性が低くなりがちとなり、養生に時間がかかって次工程への移行に遅れが出る等の不利がある。
そこで、ガラス製の硬化剤収納細管内に空所を設けずに、硬化剤収納細管に硬化剤を密封するカプセルとして、図４に示すものが提案されている。
このカプセル１５では、ガラス製細管１１の開口端部を樹脂シール１２して、空所を無くしているが、図３に示したカプセルのような開口端部を溶融密封したものに比べて密封性に欠けるためか、保管中にカプセル内で主剤１７と硬化剤１３とが反応することがあり、変色やゲル化等が起こって商品価値を低下させることもあった。
【０００６】
本発明は、上記の問題に鑑み、施工穴の底部から開口部の上下にかけて均一な硬度、剛性が得られ、コンクリート面に植設一体状に固着させたアンカー筋の安定した強度が得られる接着系アンカー用カプセルに使用される硬化剤収納細管を提供することを課題とする。
【課題を解決するための手段】
【０００７】
上記の課題を解決するために、本発明の主剤と硬化剤とを分離収容した接着系アンカー用カプセルに使用される硬化剤収納細管は、その溶融密封された硬化剤収納細管内部にシール材を隔てて、一方の端部側に硬化剤が収納され、他方の端部側に空所が設けられていることを特徴とする。
【発明の効果】
【０００８】
本発明の接着系アンカー用カプセルに使用される硬化剤収納細管によれば、施工穴の底部側から開口部の上下にかけて主剤と硬化剤とが充分量、均一に混合されるので、従来の接着系アンカー用カプセルを使用した際に生じていた、施工穴の開口部付近の強度不足や養生に時間がかかることにより次工程の作業が遅れることなく、コンクリート構造体等に植設一体状に固着したアンカー筋の安定した施工手順と、最終的には充分な強度が得られる。
【発明を実施するための最良の形態】
【０００９】
本発明の接着系アンカー用カプセルに使用される硬化剤収納細管の一実施の形態を添付図面に基づき説明する。
図１は、本発明の接着系アンカー用カプセルに使用される硬化剤収納細管を示す模式的な概略断面図であり、図２は、本発明の接着系アンカー用カプセルに使用される硬化剤収納細管を収容した接着系アンカー用カプセルの施工例を示す模式的な部分概略断面図である。
【００１０】
図１に示す、本発明の接着系アンカー用カプセルに使用される硬化剤収納細管１は、ガラス製であって、端部が溶融密封され、その内部にシール材２を隔てて、一方の端部側に硬化剤３が密に収納され、他方の端部側に空所４が設けられた構造であり、接着系アンカー用カプセルに、空所４が設けられた端部側をカプセルの底部に位置するように収納される。
【００１１】
このような構造の硬化剤収納細管１を使用した接着系アンカー用カプセルを用いて、アンカー筋をコンクリート構造物に植設一体状に固着する場合には、図２に示すように、本発明に係る接着系アンカー用カプセル（以下、単にカプセルという。）５をコンクリート構造物に穿孔された施工穴６に装入した状態では、カプセル５内の硬化剤収納細管１の内部は、下端部に空所４が位置し、その上部に樹脂製シール材２、さらにはその上部に硬化剤３が位置しており、カプセル５内の主剤７の上部液面近傍８には、硬化剤３が、混合攪拌された後に早期に反応固化するに充分な量を存在させることができる。
【００１２】
そのため、施工穴６の上方から先端が鋭利なアンカー筋９を回転又は回転・打撃を加えながら押し込み、施工穴６内のカプセル５と硬化剤収納細管１を破砕し、硬化剤収納細管１から出た硬化剤３と主剤７と骨材１０とを施工穴６内で混合させても、適度な量の混合がなされ、従前のカプセルのように、施工穴６の開口部２０付近で、硬化不良や硬化遅延を引起すことがなくなる。
【００１３】
硬化剤収納細管１内の空所４が、施工時にカプセル５の下方に位置することにより、施工穴６奥部における主剤７の反応固化に遅れが出ることが考えられるが、施工穴６の奥部におけるアンカー筋９の固着強度は、アンカー施工の次工程には、それ程の影響を及ぼすことがなく、次工程を進行させている時間を含めて、充分な時間をかけて硬化前の拡散によって反応固化が進行し、最終的なアンカー筋９の固着強度は従来例のものに遜色のないものとなる。
【００１４】
本発明の硬化剤収納細管１に使用されるシール材２は、紫外線硬化型のエポキシ樹脂、アクリル樹脂、不飽和ポリエステル樹脂、エポキシアクリレート樹脂製のものが好ましく用いられ、これらの液状樹脂を硬化剤収納細管１の円断面方向に隙間が生じないように注入した後に、前記樹脂に紫外線を照射して硬化させ、硬化剤収納細管１内にシール材２を形成する。
【産業上の利用可能性】
【００１５】
本発明の硬化剤収納細管を使用した接着系アンカー用カプセルを用いれば、工期の遅れがなくなりコンクリート面へのアンカー筋の安定した強度が得られるためその利用分野は極めて広い。
【図面の簡単な説明】
【００１６】
【図１】本発明の接着系アンカー用カプセルに使用される硬化剤収納細管を示す模式的な概略断面図である。
【図２】本発明の接着系アンカー用カプセルに使用される硬化剤収納細管を収容した接着系アンカー用カプセルの施工例を示す模式的な部分概略断面図である。
【図３】従来の接着系アンカー用カプセルの施工例を示す模式的な部分概略断面図である。
【図４】従来の接着系アンカー用カプセルの別の施工例を示す模式的な部分概略断面図である。
【符号の説明】
【００１７】
１、１１  硬化剤収納細管
２  シール材
３、１３  硬化剤
４、１４  空所
５、１５  接着系アンカー用カプセル
６、１６  施工穴
７、１７  主剤
８  主剤の上部液面近傍
９  アンカー筋
１０  骨材
１２  樹脂シール
２０  施工穴の開口部付近
【図１】
2006144478.tif 000003
【図２】
2006144478.tif 000004
【図３】
2006144478.tif 000005
【図４】
2006144478.tif 000006